(57)【要約】【課題】２箇所に設置された人体検知センサー付き照明器具の何れか一方でそれら２箇所の人体検知センサー付き照明器具を同時に点灯又は消灯させることができる相互制御型人感照明器具を提供することである。【解決手段】照明負荷１４と、人体からの赤外線を検知する人体検知センサーＰＥＤと、交流電源から前記照明負荷に直列に接続されて該照明負荷に電力を供給するためのスイッチ素子Ｑ1と、前記人体検知センサーの出力に応じて前記スイッチ素子をオン・オフさせる制御部１７と、人体検知時に前記照明負荷に流れる電流を検知する電流検知部１５と、前記電流検知部の電流検知信号に基づいて前記照明負荷が点灯し続けるのを消灯するために前記電流検知信号を遮断する遮断機能２０と、を備えた相互制御型人感照明器具であって、前記相互制御型人感照明器具に対して同一仕様の第２の相互制御型人感照明器具が相互制御可能に接続される。【選択図】図１
2012084232.tif 000002
【特許請求の範囲】
【請求項１】
照明負荷と、
人体からの赤外線を検知する人体検知センサーと、
交流電源から前記照明負荷に直列に接続されて該照明負荷に電力を供給するためのスイッチ素子と、
前記人体検知センサーの出力に応じて前記スイッチ素子をオン・オフさせる制御部と、
人体検知時に前記照明負荷に流れる電流を検知する電流検知部と、
前記電流検知部の電流検知信号に基づいて前記照明負荷が点灯し続けるのを消灯するために前記電流検知信号を遮断する遮断機能と、を備えた相互制御型人感照明器具であって、
前記電流検知部の一端が前記交流電源の一端に接続され、前記電流検知部の他端が前記相互制御型人感照明器具と同一仕様の第２の相互制御型人感照明器具の一方の交流端子に接続される構成となっている
ことを特徴とする相互制御型人感照明器具。
【請求項２】
前記相互制御型人感照明器具及び前記第２の相互制御型人感照明器具は人体が通過する通路の２箇所に設置されて相互に接続されて２つの照明負荷を同時に点灯又は消灯させるものであって、前記相互制御型人感照明器具及び前記第２の相互制御型人感照明器具のうちの前記相互制御型人感照明器具が人体検知に基づき先に点灯した場合に、前記第２相互制御型人感照明器具は第２の電流検知部の電流検知に基づき点灯し、電流検知に基づき点灯した方の前記第２相互制御型人感照明器具の第２の制御部は、その後に前記第２の相互制御型人感照明器具が人体検知したときに第２の人体検知センサーの人体検知出力に基づき第２のスイッチ素子を所定時間オンさせるタイマー信号を出力し、該タイマー信号がオフするタイミングに基づいて電流検知遮断信号を生成して第２の遮断部に供給することによって、前記第２の電流検知部からの電流検知信号を遮断し前記２つの照明負荷を同時に消灯させることを特徴とする請求項１に記載の相互制御型人感照明器具。
【請求項３】
前記相互制御型人感照明器具及び前記第２の相互制御型人感照明器具のうちの電流検知に基づき点灯した方の前記第２相互制御型人感照明器具に優先的に消灯動作させる消灯権を与えることを特徴とする請求項１に記載の相互制御型人感照明器具。
【発明の詳細な説明】
【技術分野】
【０００１】
本発明は、２箇所に設置された人体検知センサー付き照明器具の何れか一方で人体検知したときこの２箇所の照明器具を同時に点灯又は消灯させる相互制御型人感照明器具に関するものである。
【背景技術】
【０００２】
従来、例えば階段を照明する方法として、１個の照明器具を階段近辺の壁や天井に設置し、階段の上下にそれぞれ３路スイッチを設置して階段の上り降り時に階段全体を照明する方法と、階段の上下各々に足元灯等の照明器具を設置する方法がある。
【０００３】
後者の照明方法は階段の上下近辺に夫々階段照明用足元灯を設置し、各々に個別対応する壁スイッチをオン・オフさせるように施工される。この場合、各々の足元灯は独立して点灯・消灯するのが現状である。
１つの照明器具を、２箇所に設置してある人体検知センサー(通常、人感センサーと呼ばれる)を利用した電子スイッチでオン・オフ制御する所謂３路スイッチは、例えば特許文献１及び特許文献２に開示されている。
【０００４】
しかしながら、これらの特許文献１及び２を含めた先行技術文献においては、例えば、階段の上段下段等の２箇所に人体検知センサー付きＬＥＤ照明器具を設置及び配線し、２箇所の人体検知センサー付きＬＥＤ照明器具のうちの何れか一方で人体検知したときそれら２箇所の人体検知センサー付きＬＥＤ照明器具を同時に点灯又は消灯させる技術については、開示されていない。
【先行技術文献】
【特許文献】
【０００５】
【特許文献１】特許第３５９６３０９号公報
【特許文献２】特許第４１３４１２５号公報
【発明の概要】
【発明が解決しようとする課題】
【０００６】
そこで、本発明は、２箇所に設置された人体検知センサー付き照明器具の何れか一方で人体検知したときそれら２箇所の人体検知センサー付き照明器具を同時に点灯又は消灯させることができる相互制御型人感照明器具を提供することを目的としている。
【課題を解決するための手段】
【０００７】
本発明による相互制御型人感照明器具は、照明負荷と、人体からの赤外線を検知する人体検知センサーと、交流電源から前記照明負荷に直列に接続されて該照明負荷に電力を供給するためのスイッチ素子と、前記人体検知センサーの出力に応じて前記スイッチ素子をオン・オフさせる制御部と、人体検知時に前記照明負荷に流れる電流を検知する電流検知部と、前記電流検知部の電流検知信号に基づいて前記照明負荷が点灯し続けるのを消灯するために前記電流検知信号を遮断する遮断機能と、を備えた相互制御型人感照明器具であって、前記電流検知部の一端が前記交流電源の一端に接続され、前記電流検知部の他端が前記相互制御型人感照明器具と同一仕様の第２の相互制御型人感照明器具の一方の交流端子に接続される構成となっていることを特徴とする。
【発明の効果】
【０００８】
本発明によれば、２箇所に設置された人体検知センサー付き照明器具の何れか一方で人体検知したときそれら２箇所の照明器具を同時に点灯又は消灯させることができる相互制御型人感照明器具を実現することができる。
【図面の簡単な説明】
【０００９】
【図１】本発明の第１の実施形態の相互制御型人感照明器具の概略的な回路構成図。
【図２】図１の相互制御型人感照明器具の詳細な回路構成を示す回路図。
【図３】２つの相互制御型人感照明器具を連結配線接続した構成を示す構成図。
【図４】図３における同時点灯及び同時消灯の動作を説明するタイミングチャート。
【図５】タイマー出力のオフタイミングを基に生成する電流検知遮断信号のパルス幅を、スイッチ素子として用いる素子の種類に応じて変更する必要があることを説明する図。
【図６】本発明の第２の実施形態の相互制御型人感照明器具の詳細な回路構成を示す回路図。
【発明を実施するための形態】
【００１０】
以下、本発明の実施の形態について図面を参照して説明する。  
［第１の実施形態］
図１は本発明の第１の実施形態の相互制御型人感照明器具の概略的な回路構成図を示している。 
図１において、第１の実施形態の相互制御型人感照明器具１０は、人体から放射される赤外線を検知する焦電センサーと呼ばれる人体検知センサーＰＥＤと、人体検知センサーＰＥＤの出力に基づいて人体検知信号を生成する人体検知センサー部１２と、発光ダイオード(以下、ＬＥＤ)による照明負荷１４と、商用交流電源ＡＣ(１００Ｖ)から照明負荷１４への給電路に挿入されるＭＯＳＦＥＴ等のスイッチ素子Ｑ1と、照明負荷１４へ電源電圧を供給する照明用電源部及び制御用電源部を含む電源部１１と、交流電源ＡＣの一端に接続され、人体検知時に照明負荷１４に流れる電流を検知する電流検知部１５と、人体検知センサー部１２からの人体検知信号に基づくタイマー信号と電流検知部１５からの電流検知信号との論理和をとり、その論理和出力を点灯制御信号としてスイッチ素子Ｑ1のゲートに供給するためのオア回路１６と、人体検知センサー部からの人体検知信号に基づいて所定時間のタイマー信号を生成するタイマー機能と、２つの相互制御型人感照明器具が各々の電流検知部の電流検知出力に基づき点灯し続ける現象を無くして消灯させるために第２の相互制御型人感照明器具で発生するタイマー信号のオフタイミングに基づいて電流検知遮断信号を生成する機能とを有するマイコン１３と、２つの相互制御型人感照明器具を連結配線したとき(図３参照)、それら２つの相互制御型人感照明器具が各々の電流検知部の電流検知出力に基づき点灯し続けるのを停止(消灯)させるために前記電流検知遮断信号で電流検知出力を一時的に遮断させる電流検知信号ライン上に設けられた遮断部２０と、前記人体検知センサー部１２と前記マイコン１３とオア回路１６と遮断部２０とを備え、人体検知センサーＰＥＤの出力及び又は電流検知部１５の出力に基づいて生成した点灯制御信号に応じてスイッチ素子Ｑ1をオン・オフさせる制御部１７と、交流端子１と、交流端子２と、電流検知端子３と、交流電源ＡＣに対して配線が正常行なわれたかを確認するためのネオン管１８と、を備えている。オア回路１６と遮断部２０とは、マイコン１３の論理的な演算処理機能として組み込むことも可能である。なお、図１には、照明負荷１４を照明器具本体から取外して交換可能なように照明負荷接続端子０が配設されている。
【００１１】
さらに、制御部１７は、相互に接続される２つの相互制御型人感照明器具１０Ａ(図３参照)のうちの一方の照明器具が人体検知に基づき先に点灯しタイマー動作を開始することによってもう一方の照明器具１０Ｂもそのときの負荷電流の電流検知に基づき同時的に点灯し、その後に人が階下から階上に移動などしてある時間経過してもう一方の照明器具１０Ｂが人体を検知すると、もう一方の照明器具１０Ｂのタイマー動作を開始するが、タイマー動作時間経過後も引き続き互いの電流検知出力に基づいて両方の照明器具が点灯し続ける状態が続いてしまう。その原因となっているのは互いの電流検知出力の存在である。このため、本発明の実施形態では、相互制御型人感照明器具の制御部１７は、この点灯持続状態を停止させて両方の照明器具を消灯させるために、このような点灯持続状態の時に電流検知出力を遮断する機能をさらに備えている。
【００１２】
例えば、上述のように相互に接続された２つの相互制御型人感照明器具１０Ａ，１０Ｂのうちで一方の相互制御型人感照明器具がその人体検知に基づきタイマー動作に入った後に電流検知に基づき点灯した他方の相互制御型人感照明器具が人体を検知した時からその他方の相互制御型人感照明器具１０Ｂの制御部１７Ｂでタイマー動作が開始されるが、そのタイマー動作の終了時のタイミング(オフタイミング)で電流検知信号を遮断するための電流検知遮断信号を生成し、この遮断信号を用いて電流検知部１５Ｂの電流検知出力を遮断させることにより、相互に接続された２つの相互制御型人感照明器具１０Ａ，１０Ｂそれぞれの両方の照明負荷１４Ａ，１４Ｂを一気に消灯させるようにする。
【００１３】
これは、図１に示す相互制御型人感照明器具１０が上述の図３に示す相互制御型人感照明器具１０に相当し後で点灯する人感照明器具であったとすると、マイコン１３によるタイマー動作がタイムアップするタイミング、即ちタイマー信号のオフタイミングでマイコン１３が電流検知遮断信号を生成し、遮断部２０ではこの遮断信号を用いて符号１９に示す電流検知信号ラインを一時的に遮断(オフ)することにより、実現される。これについては、後で再び説明する。各回路部の詳細な構成については、図２を参照して後に説明する。
【００１４】
本実施形態1では、電流検知部１５は、交流端子１に２本以上（図では２つ）順方向に直列に接続されたダイオードＤ4，Ｄ5と、これらの直列接続された複数のダイオードと逆方向に１本または複数（図では１本）順方向に直列接続されたダイオードＤ3とを並列接続し、順方向に直列に接続された複数のダイオードＤ4，Ｄ5の最初のアノードと最後のカソード間に発生する総合順方向電位でオン動作する発光素子（発光ダイオード）及び受光素子（フォトトランジスタ）からなるトランジスタ出力型のフォトカプラＰＣが並列接続され、更にこれらの並列接続された接続点の他端は電流検知端子３に接続される。電流検知端子３は、相互制御型人感照明器具１０と同一仕様のもう一方の第２の相互制御型人感照明器具の交流端子２に接続される。
【００１５】
そして、相互制御型人感照明器具１０を１つだけ用いて１箇所で人体を検知する場合は、図１の交流端子１と交流端子２とにそれぞれ商用交流電源ＡＣの２本のラインを接続すれば、人体検知センサーＰＥＤが人体を検知することによって人体検知信号が人体検知センサー部１２からオア回路１６を経てスイッチ素子Ｑ1のゲートに供給されて、スイッチ素子Ｑ1がオンし、商用交流電源ＡＣから照明負荷１４に電力が供給される。
【００１６】
また、図３に示すように、階段の上下や廊下上での照明を行う際に、２つの相互制御型人感照明器具１０Ａ，１０Ｂを用いて２箇所で人体を検知可能とし、２箇所のうちどちらか一方の照明器具で人体を検知したとき、２箇所の照明器具を同時に点灯(又は消灯)する場合は、相互制御型人感照明器具１０Ａと全く同じ仕様の相互制御型人感照明器具１０Ｂを用意し、相互制御型人感照明器具１０Ａ，１０Ｂそれぞれを例えば家屋の階段の１階と２階に配置し、相互制御型人感照明器具１０Ａの交流端子１を商用交流電源ＡＣの一方のライン(接地側)に接続し、相互制御型人感照明器具１０Ｂの交流端子１を商用交流電源ＡＣのもう一方のライン(ライン側)に接続し、相互制御型人感照明器具１０Ａの交流端子２を相互制御型人感照明器具１０Ｂの電流検知端子３に接続し、相互制御型人感照明器具１０Ａの電流検知端子３を相互制御型人感照明器具１０Ｂの交流端子２に接続する。このような連結配線によれば、１階又は２階の一方の相互制御型人感照明器具１０Ａ又は１０Ｂの人体検知センサーＰＥＤ-A又はＰＥＤ-Bが人体を検知することによって結果として１階及び２階の相互制御型人感照明器具１０Ａ及び１０Ｂが共にオンし、商用交流電源ＡＣから照明負荷１４Ａ及び１４Ｂに電力が供給され、２箇所の照明器具を同時に点灯することができる。また、この同時点灯している状態で、１階又は２階の一方の相互制御型人感照明器具１０Ａ又は１０Ｂの人体検知センサーＰＥＤ-A又はＰＥＤ-Bが人体を検知することによって、２箇所の照明器具を同時に消灯することができる。
【００１７】
なお、連結配線による２箇所での人体検知及び点灯・消灯については、後に詳しく説明する。
【００１８】
図２は図１の相互制御型人感照明器具１０の具体的な回路構成を示す回路図である。 
図２において、相互制御型人感照明器具１０は、交流端子１と、交流端子２と、電流検知端子３と、交流電源ＡＣにより整流化した直流電源電圧を得て、照明負荷１４，制御部１７及び人体検知センサー部１２に供給するための電源部１１と、複数のＬＥＤを直列接続して構成される照明負荷１４と、制御部１７からの点灯制御信号に基づいて、照明負荷１４を点灯又は消灯させるスイッチ素子Ｑ1と、電源部１１からの整流直流電圧を電源として動作し、焦電センサーで構成される人体検知センサーＰＥＤを含み、その出力を増幅し人体からの赤外線を検知する人体検知センサー部１２と、電流検知部１５と、制御部１７と、を備えている。
【００１９】
なお、図１には記載していないが、図２の詳細構成には、破線にて示すように、人体を検知したときに点灯する際の前提条件として、周囲の明るさ(照度)が所定値より低い(暗い)ときに照明負荷１４を自動点灯させるために、周囲の明るさを検出(測定)する明るさセンサー回路を設けた回路例を示してある。明るさセンサー回路は、照度センサーＩＣ5と抵抗Ｒ23とコンデンサＣ9とを備えて構成され、そのセンサー出力がマイコンＩＣ2に供給されて明るさが検出される。
【００２０】
上記制御部１７は、人体検知センサー部１２で人体を検知したときに、これに基づいてマイコンＩＣ2内で所定時間幅のタイマー信号を生成してタイマー制御を可能とする機能と、また図３に示すような２つの相互制御型人感照明器具１０Ａ，１０Ｂを用意してどちらか一方での人体検知によって一方の相互制御型人感照明器具(例えば１０Ａ)が点灯した際に発生する負荷電流に基づいて他方側の相互制御型人感照明器具(例えば１０Ｂ)での点灯を促す電流検知信号を電流検知部１５及びその出力部１５-1で発生してマイコンＩＣ2に供給し、該電流検知信号に基づいた点灯制御を可能とする機能と、前記タイマー信号と前記電流検知信号との論理和をマイコンＩＣ2内でとり、点灯制御信号としてスイッチ素子Ｑ１に供給する機能と、さらに２つの相互制御型人感照明器具１０Ａ，１０Ｂのうちの一方の照明器具１０Ａが人体検知にて点灯し他方の照明器具１０Ｂが電流検知にて点灯して同時点灯した後に、他方の照明器具１０Ｂが人体検知にてタイマー動作に入りタイマーオフしても電流検知信号の存在によって同時点灯を維持した状態となっても同時消灯させるべく電流検知信号の一時的な遮断制御を可能とする機能と、を有している。
【００２１】
上記電源部１１は、商用交流電源ＡＣ(図示略)に基づいた二系統の電源回路を有している。交流端子１と交流端子２との間には、バリスター等のサージ吸収素子ＺＮＲと、抵抗Ｒ0及びネオン管１８の直列回路とが並列に接続されている。二系統の電源回路のうちの第１の電源回路は、ＬＥＤ等の照明負荷１４の直流電源回路であって、交流端子１と交流端子２との間に、抵抗Ｒ1と、抵抗Ｒ2及びコンデンサＣ1の並列回路と、全波整流回路である全波整流ダイオードブリッジＤＢとが直列に接続され、全波整流ダイオードブリッジＤＢの＋端子から出力される全波整流出力は電流制限用抵抗Ｒ5を介して複数のＬＥＤを直列接続した照明負荷１４の入力端に供給される。なお、全波整流ダイオードブリッジＤＢの−端子は、全波整流回路ＤＢの二次側(直流出力側)の基準電位点(ＧＮＤ)として機能する。
【００２２】
二系統の電源回路のうちの第２の電源回路は、制御部１７の電源回路であって、交流端子１と交流端子２との間に、抵抗Ｒ3，Ｒ4及びダイオードＤ1，Ｄ2による半波整流回路が形成され、その整流出力端には定電圧ダイオードＺＤ及び充電コンデンサＣ2の並列回路が接続され、その定電圧出力はレギュレータ用の直流電源電圧としてレギュレータＩＣ1に供給され、レギュレータＩＣ1の出力側に並列接続されたコンデンサＣ3を介して安定化直流電源電圧として出力され、制御部１７に供給される。
【００２３】
照明負荷１４は複数(図では６個)のＬＥＤを備え、その出力端はＮＭＯＳＦＥＴなどのスイッチ素子Ｑ1のドレインに接続し、そのソースは全波整流ダイオードブリッジＤＢの−端子に接続している。スイッチ素子Ｑ1のゲート・ソース間には抵抗Ｒcが接続されている。スイッチ素子Ｑ1のゲートには、制御部１７からの点灯制御信号が供給される。スイッチ素子Ｑ1としては、ＳＣＲを用いることも可能であるが、ＭＯＳＦＥＴに比べて消灯時のオフ動作に若干時間を要する。
【００２４】
また、交流端子１と電流検知端子３との間には、電流検知部１５が接続されている。即ち、交流端子１と電流検知端子３との間には、２本のダイオードＤ4，Ｄ5が順方向に直列接続され、更にダイオードＤ3がダイオードＤ4，Ｄ5とは逆方向に並列に接続され、更に、交流端子１と電流検知端子３との間には、分流用の抵抗Ｒ7が接続される一方、トランジスタ出力型のフォトカプラＰＣの一次側発光素子である発光ダイオードが並列に接続された構成となっている。フォトカプラＰＣは一次側の発光ダイオードと二次側のフォトトランジスタを組合せて一対としたもので構成されている。
【００２５】
電流検知部１５のフォトトランジスタの出力端に接続した出力部１５-1は、制御部１７の一部とされており、微弱な電流検知信号を増幅して出力する機能を有している。出力部１５-1は、フォトカプラＰＣの二次側のフォトトランジスタのコレクタが抵抗Ｒ10を介してベースに接続され、エミッタがレギュレータＩＣ1の出力電圧ＶDのラインに接続したｐｎｐ型トランジスタＱ2と、ベースがトランジスタＱ2のコレクタに接続し、コレクタがレギュレータＩＣ1の出力電圧ＶDのラインに接続し、エミッタが抵抗Ｒ11とＲ12の接続点に接続したｎｐｎ型トランジスタＱ3とで構成されるダーリントン接続回路を備え、前記フォトカプラＰＣの二次側受光素子であるフォトトランジスタのコレクタ出力を抵抗Ｒ10を介して前記トランジスタＱ2のベースに入力し、トランジスタＱ3のエミッタ出力を遮断部２０を構成するトランジスタＱ4のコレクタに対してコンデンサＣ4及び抵抗Ｒ11，Ｒ12の回路を介して供給すると同時にマイコンＩＣ2の端子INに供給している。遮断部２０内のトランジスタＱ4のエミッタは前述の全波整流回路ＤＢの二次側の基準電位点(グランド)ラインに接続し、ベースはマイコンＩＣ2の端子outに接続しその端子outからトランジスタＱ4のベースに対して電流検知遮断信号が供給可能となっている。
【００２６】
交流端子１と電流検知端子３との間に電流(この電流は後述するがもう一方の相互制御型人感照明器具１０がオンしたときに照明負荷１４を通して流れる負荷電流に相当する)が流れると、ダイオードＤ4及びＤ5のアノード，カソード間に順方向電圧（ダイオード１個の順方向電圧が０．６Ｖであるので約１．２Ｖ）が発生するので、フォトカプラＰＣの一次側の発光ダイオードに電流が流れる。この結果、二次側のフォトトランジスタにコレクタ電流が流れ、その電流がトランジスタＱ2，Ｑ3のダーリントン接続された増幅回路で増幅される。この結果、トランジスタＱ2のエミッタに接続した抵抗Ｒ11には交流端子１と電流検知端子３との間に流れる電流の数千倍増幅された直流電流が流れ電流検知信号として抵抗Ｒ12を介してマイコンＩＣ2の端子ＩＮに入力される。
【００２７】
このように、２つのダイオードＤ4及びＤ5の直列回路を流れる電流によって生ずる順方向電圧降下によってフォトカプラＰＣの発光ダイオードは点灯する。しかし、逆方向の１つのダイオードＤ3に流れる逆方向の電流による電圧降下によってはフォトカプラの発光ダイオードは点灯しない。
【００２８】
人体検知センサー部１２は、前方に集光レンズを配した焦電センサーと呼ばれる人体検知センサーＰＥＤと、そのセンサー出力を数千倍に増幅する増幅部２１と、を有して構成されている。
【００２９】
人体検知センサーＰＥＤは、人体から放射される熱線である赤外線を検出し、微弱な電圧として出力することができる。人体検知センサーＰＥＤは第１〜第３の３本の端子を備えており、第１の端子には前記レギュレータＩＣ1の出力電圧ＶDを抵抗Ｒ14を介して供給し、第２の端子には基準電位点GNDのラインが接続し、第３の端子からは、赤外線を検出した時にこれに対応した微弱な検知電圧がセンサー出力として出力される。センサー出力は、抵抗Ｒ15及び抵抗Ｒ16からなる入力回路を経てオペアンプＩＣ3，コンデンサＣ5，Ｃ6，抵抗Ｒ18，Ｒ17からなる第１段増幅部で増幅され、さらに抵抗Ｒ19，コンデンサＣ7，オペアンプＩＣ4，コンデンサＣ8，抵抗Ｒ20，分圧抵抗Ｒ21，Ｒ22からなる第２段増幅部で増幅されることによって数千倍に増幅され、人体検知信号としてマイコンＩＣ2のＡ／Ｄ端子に入力される。
【００３０】
図３は、２つの相互制御型人感照明器具を連結配線した構成を示す構成図を示している。ここでは、連結配線される２つの相互制御型人感照明器具１０Ａ，１０Ｂの各部の符号にはＡ，Ｂを付して説明する。
【００３１】
図３において、相互制御型人感照明器具１０Ａの 交流端子１は交流電源ＡＣの接地側に接続し、交流端子２は相互制御型人感照明器具１０Ｂの電流検知端子３に接続する。相互制御型人感照明器具１０Ａの電流検知部１５Ａの電流検知端子３は相互制御型人感照明器具１０Ｂの交流端子２に接続する。相互制御型人感照明器具Ｂの交流端子１は交流電源ＡＣのライン側に接続される。
【００３２】
交流端子１と交流端子２との間にネオン管ＮＥを接続し、電気工事終了後、交流電源ＡＣから電源供給した時点で、ネオン管ＮＥの点灯を確認することで、配線工事が正しく行なわれたか否かのチェックを行なえる。これは、相互制御型人感照明器具１０Ａと相互制御型人感照明器具Ｂは全く同一仕様のものであるにも関わらず、一方の人感照明器具１０Ａの交流端子１の接続はＡＣの接地側で、他方の人感照明器具Ｂの交流端子１の接続はＡＣのライン側となるため、電気工事での接続誤りが起こりやすい問題を解決するためである。
【００３３】
次に、図４を参照して図３の動作を説明する。図４は図３における同時点灯及び同時消灯の動作を説明するタイミングチャートである。
【００３４】
今、相互制御型人感照明器具１０Ａの人体検知センサーＰＥＤ-Aが人体を検知して、照明負荷１４ＡとしてのＬＥＤを点灯させる環境照度となっている場合を想定する。このとき、相互制御型人感照明器具１０ＡのマイコンＩＣ２が照明用ＬＥＤを一定時間点灯させるためにタイマー出力がオンする。この結果、マイコン１３Ａからのタイマー出力がオア回路１６Ａを通ってスイッチ素子Ｑ1Aのゲートに入力する。そして、照明用ＬＥＤを点灯させるスイッチ素子Ｑ1AがオンしてＬＥＤ１４Ａが点灯すると、交流電源ＡＣの一端ｅが他端ｆに対し＋のとき(即ち始めの交流サイクルの半サイクル)、一端ｅから電流が相互制御型人感照明器具１０Ａの交流端子１からＬＥＤを介しスイッチ素子Ｑ1Aを通り更に交流端子２を経て、相互制御型人感照明器具１０Ｂの電流検知端子３に流れ、電流検知端子３から電流検知部１５ＢのダイオードＤ3を介し交流端子１を経て交流電源ＡＣの他端ｆに流れる。次の半サイクルでは、交流電源ＡＣの一端ｆから相互制御型人感照明器具１０Ｂの電流検知部１５ＢのダイオードＤ4及びＤ5を介し相互制御型人感照明器具１０Ｂの電流検知端子３を経て相互制御型人感照明器具１０Ａの交流端子２からＬＥＤ１４Ａ，スイッチ素子Ｑ1Aを経て、交流電源ＡＣの他端ｅに電流が流れる。このとき、１０Ｂの電流検知部１５ＢのフォトカプラＰＣ-B内のフォトトランジスタの出力部１５-1(図２参照)から増幅電流が遮断部２０内のコンデンサＣ4に充電される。この結果、相互制御型人感照明器具１０Ｂの電流検知部１５Ｂ内のコンデンサＣ4の両端電圧が電流検知信号としてオア回路１６Ｂ(図２ではマイコンＩＣ2の機能として構成されている)に出力され、オア回路１６Ｂの出力がＬＥＤ１４Ｂの点灯指令信号としてスイッチ素子Ｑ1Bのゲートに供給されてオンするため、交流電源ＡＣの一端ｆから相互制御型人感照明器具１０ＢのＬＥＤ１４Ｂに電流が流れＬＥＤが点灯する。その結果、負荷電流が相互制御型人感照明器具１０Ｂの交流端子１からＬＥＤ１４Ｂ及びスイッチ素子Ｑ1Bを介し交流端子２を経て相互制御型人感照明器具１０Ａの電流検知端子３に流れ、そして電流検知部１５ＡのダイオードＤ3を通し交流端子１を経由して交流電源ＡＣの一端eに交流電流が帰還する。
【００３５】
そして、次の交流サイクルの半サイクルでは、交流電源ＡＣの一端ｅが再び他端ｆに対して＋となり、しかも相互制御型人感照明器具１０ＡのＬＥＤ１４Ａはタイマー出力に基づいて点灯している。このとき、一端ｅからの電流は、１０Ａの交流端子１からＬＥＤ１４Ａ，スイッチ素子Ｑ1Aを通り、交流端子２に流れ出ると同時に、１０Ａの交流端子１から電流検知部１５ＡのダイオードＤ4及びＤ5を介して電流検知端子３に流れ出る。
【００３６】
相互制御型人感照明器具１０Ａの交流端子２から流れ出た電流は相互制御型人感照明器具１０Ｂの電流検知端子３に入り電流検知部１５ＢのダイオードＤ3を通り１０Ｂの交流端子１を経て交流電源ＡＣの他端ｆに流れる。一方、相互制御型人感照明器具１０Ａの電流検知端子３から流れ出た電流は１０Ｂの交流端子２に入りＬＥＤ１４Ｂ，スイッチ素子Ｑ1Bを通り１０Ｂの交流端子１を経て交流電源ＡＣの他端ｆに流れる。これによって、電流検知部１５Ａに流れる電流がフォトカプラＰＣ-Aで検知され、その電流検知信号がタイマー出力と共にオア回路１６Ａを介してスイッチ素子Ｑ1Aのゲートに供給されることになる。このとき、１０Bの電流検知部１５Ｂには、電流検知端子３からダイオードＤ3を通り他端ｆに電流が流れるが、フォトカプラＰＣ-Bの発光ダイオードは点灯しない。しかし、前の半サイクルでのフォトカプラＰＣ-Bの出力側のコンデンサＣ4の充電電圧に基づいて、電流検知部１５Ｂは引き続き電流検知信号を出力していて、スイッチ素子Ｑ1Bをオンし続ける。このようにして、相互制御型人感照明器具１０Ａのタイマー出力がオンの期間、相互制御型人感照明器具１０Ａ，１０Ｂの両方の照明用ＬＥＤは点灯する。
【００３７】
この時、例えば電流検知部の出力でＬＥＤが点灯させられた方、ここでは相互制御型人感照明器具１０Ｂにおけるマイコン１３ＢにＬＥＤ消灯権を保持(設定)させるようにする。ここで、ＬＥＤ消灯権とはＬＥＤを消灯させる権限(権利)をいう。ＬＥＤ消灯権が設定された方の例えば相互制御型人感照明器具１０Ｂは、自身のマイコンＩＣ2Bのタイマーオフのタイミングで電流検知部１５Ｂの電流検知出力をオフにすることができる。
【００３８】
相互制御型人感照明器具１０Ａのマイコン１３Ａのタイマーがタイムアップになると、相互制御型人感照明器具１０Ａのマイコン１３ＡにはＬＥＤ消灯権が保持(設定)されていないので、マイコン１３Ａのタイマーオフのタイミングで電流検知部１５Ａの電流検知出力をオフにできず、以降、相互制御型人感照明器具１０Ａと相互制御型人感照明器具１０Ｂとの間で電流検知部１５Ａ及び１５Ｂの出力で照明負荷１４Ａ及び１４Ｂが点灯し続けることになる。
【００３９】
遮断部２０の遮断動作においては、電流検知電圧を生成しているコンデンサＣ4に充電された電荷をトランジスタＱ4のオンによって放電させる必要がある。
【００４０】
ところが、階段を登りきった(又は降りきった)所に相互制御型人感照明器具１０Ｂが設置されていて、１０Ｂ側で人体検知センサーＰＥＤ-Bが人体を検知すると、１０Ｂ側のタイマーが動作し、タイムアップまで照明負荷１４Ａ，１４Ｂは更に延長して点灯するが、１０Ｂ側のＩＣ2BにはＬＥＤ消灯権が設定されているので、図４に示すようにタイムアップと同時に電流検知遮断信号を生成して相互制御型人感照明器具１０Ｂの遮断部２０ＢのトランジスタＱ４(図２参照)をオンにして電流検知部１５Ｂの電流検知出力(Ｃ4の充電電圧)を一瞬グランド側に短絡する。この結果、相互制御型人感照明器具１０Ｂの照明負荷１４Ｂを点灯させる２つの要素、即ち、タイマー出力及び電流検知出力が共に無くなるので照明負荷１４Ｂは消灯する。このように１０Ｂ側のタイマー出力がオフするタイミングで確実に照明負荷１４Ｂを消灯させるためトランジスタＱ４を極短時間オン状態にして遮断部２０Ｂをオフにし電流検知出力を遮断(オフ)にする。なお、この電流検知出力の遮断はマイコンＩＣ2で処理可能であり、トランジスタＱ4を省略することもできる。これにより、１０Ｂ側のスイッチ素子Ｑ1Bへの電流検知出力が無くなるので、ＬＥＤ１４Ｂは消灯し、１０Ａ側の電流検知部１５Ａは電流検知信号を出力できず、結果として１０Ａ側の照明負荷１４Ａも消灯する。このようにして相互制御型人感照明器具１０Ａ及び１０Ｂにおける照明負荷１４Ａ及び１４Ｂの同時点灯及び同時消灯を実現することができる。
【００４１】
以上述べた第１の実施形態では、照明負荷であるＬＥＤのスイッチ素子Ｑ1がＭＯＳＦＥＴの場合(図２参照)について説明したが、スイッチ素子Ｑ1は例えばサイリスタ(ＳＣＲ)であってもよい。
【００４２】
照明用ＬＥＤのスイッチ素子Ｑ1がＳＣＲの場合は、ＳＣＲのゲートに供給する電流検知遮断信号の遮断期間は、タイマー出力のオフタイミングから図５の点線にて示す広いパルス幅とする必要がある。この場合のパルス幅は、商用交流電源ＡＣの半周期(＝全波整流電源の１周期)以上、例えば交流電源が５０Ｈｚの場合、最小１０ミリ秒、６０Ｈｚでは９ミリ秒以上としてＳＣＲの保持電流による導通が停止するのを持つ必要がある。スイッチ素子Ｑ1がパワーＭＯＳＦＥＴの場合は、上記の待ち時間は必要がないので、より短い時間(図５の実線にて示す狭いパルス幅)で確実にＬＥＤの消灯を実現できる。
【００４３】
なお、特殊なケースとして最初に相互制御型人感照明器具１０Ａ(又は１０Ｂ)の人体検知センサーが動作してＬＥＤが点灯しても、人がもう一方の相互制御型人感照明器具１０Ｂ(又は１０Ａ)に到達せず引き返し、一定期間階段から遠ざかった場合、最後の人体検知信号から例えば５分間程度何ら人体検知センサーの応答が無い場合、先に点灯した相互制御型人感照明器具１０Ａ(又は１０Ｂ)に消灯権が発生しないが、強制終了（消灯）させるようにする。
【００４４】
［第２の実施形態］
図６は本発明の第２の実施形態の相互制御型人感照明器具の回路構成図を示している。 図２と同一部分には同一符号を付してある。
【００４５】
本第２の実施形態は、電流検知部１５として電流トランス(ＣＴ)を利用した場合の構成を示している。交流端子１と電流検知端子３との間に、ＣＴの一次側コイルを接続し、二次側コイルの両端間に、電流制限用抵抗Ｒ8とフォトカプラＰＣの一次側発光ダイオードを直列に接続した構成となっている。その他の構成は図２と同様であり、また機能についても、図２の複数のダイオードを利用した電流検知部１５と同等である。
【００４６】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【産業上の利用可能性】
【００４７】
本発明は、階段の上下に設置される階段灯のみならず、一般の複数の照明器具をその両端に配置した２つの相互制御型人感照明器具で一度にオン・オフ制御する照明施設に応用可能である。
【符号の説明】
【００４８】
１…交流端子、２…交流端子、３…電流検知端子、１０，１０Ａ，１０Ｂ…相互制御型人感照明器具、１１…電源部、１２…人体検知センサー部、１３…マイコン、１４…照明負荷(ＬＥＤ)、１５…電流検知部、１６…オア回路、１７…制御部、１９…電流検知信号ライン、２０…遮断部、ＰＥＤ…人体検知センサー、Ｑ1…スイッチ素子。
【図１】
2012084232.tif 000003
【図２】
2012084232.tif 000004
【図３】
2012084232.tif 000005
【図４】
2012084232.tif 000006
【図５】
2012084232.tif 000007
【図６】
2012084232.tif 000008